(57)【要約】  センサを監視するシステムは、このセンサに組み込まれているＷｅｂＰａｇｅ等のＧＵＩ（グラフィカルユーザインターフェース）を含む。ＧＵＩは、ユーザコンピュータからのセンサに関する情報を表示するように構成されており、当該コンピュータは、イーサネット接続を介して該センサに接続可能であり、且つセンサのＷｅｂＰａｇｅにアクセスするためのインターネットウェブブラウザを有するものである。コンピュータ可読媒体が、センサ内に組み込まれ、このコンピュータ可読媒体には、プロセッサ用のコンピュータ使用可能命令が記憶されている。これらの命令は、プロセッサによって実行されると、プロセッサにＧＵＩを生成させる。【選択図】図１
2009518743.tif 000002
【特許請求の範囲】
【請求項１】
センサを監視するシステムであって、
前記センサのＷｅｂＰａｇｅからアクセス可能なＧＵＩ（グラフィカルユーザインターフェース）であって、該ＧＵＩは、コンピュータからの、前記センサに関する情報を表示するように構成され、当該コンピュータは、インターネットに接続可能であり且つ前記センサの前記ＷｅｂＰａｇｅにアクセスするためのインターネットウェブブラウザを有するものである、ＧＵＩと、
前記センサ内に組み込まれているコンピュータ可読媒体であって、該コンピュータ可読媒体にはプロセッサ用のコンピュータ使用可能命令が記憶され、該命令が、前記プロセッサによって実行されると、該プロセッサに前記ＧＵＩを生成させる、コンピュータ可読媒体と
を備える、システム。
【請求項２】
請求項１に記載のＧＵＩにおいて、
前記ＧＵＩは、
ユーザによって選択可能な複数のオブジェクトと、
前記複数のオブジェクトのうちの１つにそれぞれ関連付けられている複数のブラウザウィンドウと
を備え、
前記複数のブラウザウィンドウのそれぞれは、前記関連付けられているオブジェクトの前記ユーザによる選択時にオープンされ、
前記ブラウザウィンドウのそれぞれは、オープンされると、前記センサの前記ＷｅｂＰａｇｅの対応するサブページを表示し、各サブページは、前記センサに関する異なるタイプの情報を含む、ＧＵＩ。
【請求項３】
請求項１に記載のシステムにおいて、前記センサは、気体及び蒸気の圧力を測定するように構成されているデジタルマノメータを備える、システム。
【請求項４】
請求項３に記載のシステムにおいて、前記複数のユーザ選択可能なオブジェクトは、複数のユーザ選択可能なタブを備える、システム。
【請求項５】
請求項４に記載のシステムにおいて、前記複数のタブは、デバイスタブ、プロットタブ、診断タブ、構成タブ、サービスタブ、ファクトリータブ、サインアウトタブ、及びヘルプタブのうちの少なくとも１つを含む、システム。
【請求項６】
請求項５に記載のシステムにおいて、前記ＧＵＩは、複数のユーザ選択可能な表示モードのうちの１つで前記センサに関する前記情報を表示するようにさらに構成されている、システム。
【請求項７】
請求項６に記載のシステムにおいて、
前記複数の表示モードは、ユーザモード、サービスモード、及びファクトリーモードのうちの少なくとも１つを含み、
前記ユーザモードは、前記センサの前記ＷｅｂＰａｇｅに接続するすべてのユーザによりアクセス可能なデフォルトモードであり、
前記サービスモード及び前記ファクトリーモードは、アクセスパスワードを提供するユーザにのみアクセス可能であり、且つ、該ユーザによってのみ選択可能であるアクセス制限モードである、システム。
【請求項８】
請求項７に記載のシステムにおいて、
前記ＧＵＩは、前記ユーザによる前記ユーザモードの選択に応答して、前記デバイスタブ、前記プロットタブ、前記診断タブ、前記構成タブ、及び前記ヘルプタブを含む第１のインターフェースを表示するように構成され、
前記ＧＵＩは、前記ユーザによる前記サービスモードの選択に応答して、前記デバイスタブ、前記プロットタブ、前記診断タブ、前記構成タブ、前記サービスタブ、前記サインアウトタブ、及び前記ヘルプタブを含む第２のインターフェースを表示するように構成され、
前記ＧＵＩは、前記ユーザによる前記ファクトリーモードの選択に応答して、前記デバイスタブ、前記プロットタブ、前記診断タブ、前記構成タブ、前記サービスタブ、前記ファクトリータブ、前記サインアウトタブ、及び前記ヘルプタブを含む第３のインターフェースを表示するように構成されている、システム。
【請求項９】
請求項８に記載のシステムにおいて、前記ユーザによる前記ユーザモードの前記選択は、該ユーザによる前記センサの前記ＷｅｂＰａｇｅへの接続を含む、システム。
【請求項１０】
請求項８に記載のシステムにおいて、前記ＧＵＩは、前記ユーザによる前記デバイスタブの選択に応答して、e-Baratronステータスウェブページ、e-Baratronイベントウェブページ、及びe-Baratron情報ウェブページの少なくとも１つを表示するように構成されている、システム。
【請求項１１】
請求項１０に記載のシステムにおいて、
前記センサは、ＤＰＭ（デジタルプロセスマノメータ）を備え、
前記e-Baratronステータスウェブページは、前記ＤＰＭの出力信号、該ＤＰＭの０からのオフセット、該ＤＰＭの動作ステータス、及びＤＰＭ測定のユーザ選択可能な単位の選択したもののうちの少なくとも１つに関する情報を含み、
前記e-Baratronイベントウェブページは、前記ＤＰＭ内のマイクロプロセッサによって記録されるイベントのリストに関する情報を含み、前記e-Baratron情報ウェブページは、前記ＤＰＭの複数の属性を表示する、システム。
【請求項１２】
請求項８に記載のシステムにおいて、前記ＧＵＩは、前記ユーザによる前記プロットタブの選択に応答して、プロットウェブページを表示するように構成されている、システム。
【請求項１３】
請求項１２に記載のシステムにおいて、前記プロットウェブページは、前記ＤＰＭによって取得された圧力測定に関する圧力データを含み、前記プロットウェブページは、前記ユーザが前記圧力データをグラフィックに観察することを可能にする、システム。
【請求項１４】
請求項８に記載のシステムにおいて、前記ＧＵＩは、前記ユーザによる前記診断タブの選択に応答して、診断ウェブページを表示するように構成されている、システム。
【請求項１５】
請求項１４に記載のシステムにおいて、
前記診断ウェブページは、前記ＤＰＭの１つ又は２つ以上の診断パラメータに関する情報を含み、
前記診断パラメータは、
前記ＤＰＭが稼動していた時間を示すデバイス時間パラメータと、
累積ゼロドリフトに関するドリフトパラメータと、
前記ＤＰＭがそのフルスケールレンジを上回る圧力にさらされていた回数を示すパラメータと、
前記ＤＰＭによる前記圧力測定の最大値及び最小値に関するパラメータと
のうちの１つ又は２つ以上を含む、システム。
【請求項１６】
請求項８に記載のシステムにおいて、前記ＧＵＩは、前記ユーザによる前記構成タブの選択に応答して、構成ウェブページ、構成ネットワーク設定ウェブページ、構成制限設定ウェブページ、構成ゼロ調整ウェブページ、及び構成表示セットアップウェブページのうちの少なくとも１つを表示するように構成されている、請求項８に記載のシステム。
【請求項１７】
請求項１６に記載のシステムにおいて、
前記構成ウェブページは、１つ又は２つ以上のユーザ構成可能なパラメータについての情報を含み、該ユーザ構成可能なパラメータは、ネットワーク設定、ゼロ調整、警告及びアラームの制限設定、並びに表示セットアップのうちの少なくとも１つに関するものであり、
前記ネットワーク設定ウェブページは、１つ又は２つ以上のネットワークパラメータについての情報を含み、該ネットワークパラメータは、ＩＰアドレス及びデフォルトゲートウェイの少なくとも一方に関するものであり、前記ＩＰアドレス及び前記デフォルトゲートウェイは、前記ＤＰＭが前記ユーザのネットワークと通信することを可能にする、システム。
【請求項１８】
請求項１６に記載のシステムにおいて、
前記制限設定ウェブページは、１つ又は２つ以上のアラーム及び警告の制限についての情報を含み、該アラーム及び警告の制限は、ユーザが前記ＤＰＭの圧力値のフルスケールレンジの百分率の単位で設定することができるアラーム及び警告に対する上限及び下限に関するものであり、
前記制限設定ウェブページは、制限を超えた時に、対応するイベントを表示するように構成されている、システム。
【請求項１９】
請求項１６に記載のシステムにおいて、
前記ゼロ調整ウェブページは、前記ユーザが前記ＧＵＩを通じて前記ＤＰＭをゼロイングすることを可能にする情報を含み、前記ゼロ調整ウェブページは、前記ＤＰＭがゼロイングされる時の前記ＤＰＭによる圧力読み取り値におけるユーザ定義のオフセットを前記ユーザが導入することを可能にする情報をさらに含み、
前記表示セットアップウェブページは、前記ユーザがリアルタイム圧力表示更新レートを変更することを可能にする情報を含み、該リアルタイム圧力表示更新レートは、前記e-Baratronの前記ウェブページのデータが更新される頻度を表す、システム。
【請求項２０】
請求項７に記載のシステムにおいて、前記ＧＵＩは、前記ユーザによる前記サービスタブの選択に応答して、サービスウェブページ、サービス診断ウェブページ、サービス履歴ウェブページ、サービスヒータ診断ウェブページ、及びサービス較正パラメータウェブページのうちの少なくとも１つを表示するように構成されている、システム。
【請求項２１】
請求項１８に記載のシステムにおいて、
前記サービスウェブページは、サービスパラメータについての情報を含み、該サービスパラメータは、サービス診断、サービス履歴、ヒータ診断、及び較正パラメータのうちの１つ又は２つ以上に関するものであり、
前記サービス診断ウェブページは、サービス診断パラメータについての情報を含み、該サービス診断パラメータは、前記ＤＰＭが稼動していた期間のデバイス時間、前記ＤＰＭが最後にゼロイングされてからの経過時間、ゼロドリフト値、前記ＤＰＭがゼロイングされた回数、及び前記ＤＰＭが圧力測定値のフルスケールレンジを超えた回数のうちの少なくとも１つに関するものである、システム。
【請求項２２】
請求項１８に記載のシステムにおいて、
前記サービス履歴ウェブページは、サービス職員が前記ＤＰＭ上で行われるサービス動作の時刻、日付、及び説明に関するデータを該サービス履歴ウェブページに記憶することを可能にするように構成され、
前記サービスヒータ診断ウェブページは、前記ＤＰＭのヒータの制御設定及び診断情報に関する情報を含み、
前記サービス較正パラメータウェブページは、前記ＤＰＭの較正パラメータに関する情報を含む、システム。
【請求項２３】
請求項８に記載のシステムにおいて、前記ＧＵＩは、前記ユーザによる前記ファクトリータブの選択に応答して、ファクトリーウェブページ、ファクトリー較正データウェブページ、ファクトリーヒータ診断ウェブページ、及びファクトリーアップローダ・ダウンローダウェブページの少なくとも１つを表示するように構成されている、システム。
【請求項２４】
請求項２３に記載のシステムにおいて、
前記ファクトリーウェブページは、較正データパラメータ及びヒータ診断パラメータに関する情報へのアクセスを工場職員に提供し、前記工場職員が前記較正データを前記ＤＰＭにアップロードすること及び該ＤＰＭから該較正データをダウンロードすることを可能にし、
前記ファクトリー較正データウェブページは、ＤＰＭ較正パラメータについての情報を含み、前記工場職員が該ＤＰＭ較正パラメータの閲覧及び設定を行うことを可能にし、
前記ファクトリーヒータ診断ウェブページは、前記ＤＰＭのヒータの制御設定についての情報を含み、
前記アップローダ・ダウンローダウェブページは、前記工場職員が、前記ＤＰＭの１つ又は２つ以上のパラメータの読み出し及び書き込みを行うこと、並びに、前記ＤＰＭの１つ又は２つ以上のプロセッサのファームウェアを更新することを可能にする、システム。
【請求項２５】
プロセッサ用のコンピュータ使用可能命令が記憶されているコンピュータ可読媒体であって、前記命令が、前記プロセッサによって実行されると、センサのＷｅｂＰａｇｅに接続されているユーザコンピュータ上でＧＵＩ（グラフィカルユーザインターフェース）を前記プロセッサに生成させ、前記ＧＵＩは、前記センサに関する情報を表示するように構成され、且つ、
複数のユーザ選択可能なオブジェクトと、
複数のブラウザウィンドウであって、該複数のブラウザウィンドウはそれぞれ前記複数のオブジェクトのうちの１つに関連付けられ、
前記複数のブラウザウィンドウのそれぞれが、前記関連付けられたオブジェクトの前記ユーザによる選択時にオープンされ、
前記複数のブラウザウィンドウのそれぞれが、オープンされると、前記センサの前記インターネットＷｅｂＰａｇｅの対応するサブページを表示し、各サブページが、前記センサに関する異なるタイプの情報を含む、前記複数のブラウザウィンドウと、
前記複数のユーザ選択可能なオブジェクト及び前記複数のブラウザウィンドウを表示するように構成されている前記ユーザコンピュータの表示スクリーン内の領域と
を備える、コンピュータ可読媒体。
【請求項２６】
請求項２５に記載のシステムにおいて、前記コンピュータ可読媒体は、前記センサ内に組み込まれる、システム。
【請求項２７】
請求項２５に記載のシステムにおいて、前記複数のユーザ選択可能なオブジェクトは、複数のユーザ選択可能なタブを備える、システム。
【請求項２８】
請求項２５に記載のシステムにおいて、前記ＧＵＩは、
前記複数のユーザ選択可能なオブジェクト及び前記複数のブラウザウィンドウを表示するように構成されている前記ユーザコンピュータの表示スクリーン内の領域をさらに備える、システム。
【発明の詳細な説明】
【背景技術】
【０００１】
多くのアプリケーションでは、センサのステータス及びセンサの重要な動作パラメータに高速にアクセスでき、且つ／又は、センサの出力及びセンサの重要な動作パラメータを高速に表示できる能力が役立つことになる。たとえば、ＤＰＭ（デジタルプロセスマノメータ）（Digital Process Manometer）を使用して気体の圧力を測定するとき、このような能力によって、ＤＰＭにより行われた圧力測定を利用する任意のシステムのトラブルシューティングをユーザが容易に行うようにすることができる。
【０００２】
ＤＰＭの複数の動作パラメータ及びＤＰＭの履歴データ等の情報にアクセスするために、ユーザは、現時点では、通常、別個のデータロギングデバイスを使用する場合もあるし、重要なパラメータを手で書き留める場合もある。或いは、ユーザは、必要とされる場合には、このような情報を思い起こそうとしなければならないことさえある。
【０００３】
しかしながら、情報を思い出そうとしても、たとえば、時間の経過に関連して、詳細を思い出すことができなくなったり、量的データを比較できなくなったりするという人間の記憶の問題に左右されることもある。また、特定のイベント又は傾向を紙に記録しても、他のプロセスイベントとの相関のための統計データには容易に変換することができない。
【発明の開示】
【発明が解決しようとする課題】
【０００４】
したがって、センサのステータス、出力、及び動作パラメータに関する情報へより手早くアクセスできるような自己完結型システムが必要とされている。
【課題を解決するための手段】
【０００５】
センサを監視するシステムは、このセンサへのイーサネット接続を使用してアクセス可能なＧＵＩ（グラフィカルユーザインターフェース）を含むことができる。ＧＵＩは、コンピュータからのセンサに関する情報を表示するように構成することができるが、当該コンピュータは、標準イーサネット接続を介してセンサに接続可能とされ、且つセンサのＷｅｂＰａｇｅにアクセスするためのインターネットウェブブラウザを有するものである。コンピュータ可読媒体をセンサ内に組み込むことができる。このコンピュータ可読媒体には、プロセッサ用のコンピュータ使用可能命令を記憶することができ、これらの命令は、プロセッサによって実行されると、プロセッサにＧＵＩを生成させることができる。
【０００６】
コンピュータ可読媒体にプロセッサ用のコンピュータ使用可能命令を記憶することができる。これらの命令は、プロセッサによって実行されると、センサに接続されているユーザコンピュータ上でプロセッサにＧＵＩ（グラフィカルユーザインターフェース）を生成させることができる。このＧＵＩは、センサに関する情報を表示するように構成することができる。ＧＵＩは、複数のユーザ選択可能なオブジェクト及び複数のブラウザウィンドウを含むことができる。各ブラウザウィンドウは、オブジェクトのうちの１つに関連付けられている。ブラウザウィンドウのそれぞれは、関連付けられているオブジェクトのユーザによる選択時にオープンすることができる。ブラウザウィンドウのそれぞれは、オープンされると、センサのＷｅｂＰａｇｅの対応するサブページを表示することができる。各サブページは、センサに関する異なるタイプの情報を含むことができる。
【発明を実施するための最良の形態】
【０００７】
センサを監視するための方法及びシステムを説明する。以下に説明するこの方法及びシステムの一実施形態では、センサは、デジタルプロセスマノメータ（ＤＰＭ）とすることができる。このセンサには、グラフィカルユーザインターフェース（ＧＵＩ）がイーサネット接続を介してアクセス可能とされており、このＧＵＩにより、センサにアクセスする者は誰でもセンサをリアルタイムで監視することができる。ＧＵＩは、ＤＰＭ内に組み込むことができ、ＤＰＭの表示のためにＧＵＩが必要とするものは、インターネットウェブブラウザを装備した任意のコンピュータへの標準イーサネット接続のみとすることができる。
【０００８】
図１は、センサ２００を監視するシステム１００の一実施形態の概略ブロック図であり、以下に説明するこの実施形態では、センサ２００は、気体及び蒸気の圧力を測定するように構成されているデジタルプロセスマノメータ（ＤＰＭ）２００とすることができる。ＤＰＭ２００は、ＷｅｂＰａｇｅ２０５を有することができる。このＷｅｂＰａｇｅ２０５を通じて、ＷｅｂＰａｇｅ２０５の閲覧者は、ＤＰＭ２００に関する情報にアクセスすることができる。本特許では、「ＷｅｂＰａｇｅ」という用語は、特定のＤＰＭ（又は他のタイプのセンサ）についてのベースとなる統一資源位置指定子（ＵＲＬ）を指す。
【０００９】
概観すると、システム１００は、ＤＰＭ２００のＷｅｂＰａｇｅ２０５上に表示できるＧＵＩ１２０を生成するための、センサ２００に組み込まれているコンピュータアプリケーションを含むことができる。詳細には、ＧＵＩ１２０は、任意のコンピュータ３００からのセンサ２００に関する情報を表示することができるが、当該コンピュータは、標準イーサネット接続３１０を介してＤＰＭ２００に接続可能とされており、ＤＰＭ２００のＷｅｂＰａｇｅ２０５にアクセスするためのいくつかの標準的なインターネットウェブブラウザのいずれか１つを有するものである。これらのインターネットウェブブラウザには、Microsoft Internet Explorer、Netscape、及びMozillaが含まれ得るが、これらに限定されるものではない。
【００１０】
ＧＵＩ１２０は、ＤＰＭ２００に組み込むことができ、インターネットウェブブラウザを装備したユーザコンピュータ３００への標準イーサネット接続のみを必要とすることができる。追加のソフトウェアは必要とされない。ＧＵＩを生成するためのコンピュータアプリケーションは、センサ２００内に組み込まれているコンピュータ可読媒体２１０に記憶されているコンピュータ使用可能命令を含むことができる。これらのコンピュータ使用可能命令は、プロセッサにより読み出されて実行されると、ＤＰＭ２００のＷｅｂＰａｇｅ２０５からアクセス可能なＧＵＩ１２０をプロセッサに生成させることができる。換言すれば、コンピュータ可読媒体２１０は、ＷｅｂＰａｇｅコードを含む。
【００１１】
図示した実施形態では、ＤＰＭ２００は、隔膜と隣接電極との間の容量の変化を測定することによって気体の圧力を求めるように構成されているキャパシタンスマノメータとすることができる。ＤＰＭ２００は、内部処理システムだけでなく、標準的な電子回路部も含むことができるが、この電子回路部は、とりわけ、信号プロセッサ、発振器、ブリッジ回路、及び増幅器を含むものである。ＤＰＭ２００のこの内部処理システムは、通信プロセッサ２２０を含むことができる。通信プロセッサ２２０は、組み込み型ウェブブラウザ２３０を含むことができる。この組み込み型ウェブブラウザ２３０によって、ＤＰＭ２００は、ＤＰＭが接続されるイーサネットネットワークに接続可能な任意のコンピュータと通信することが可能になる。ＤＰＭ２００が非常に高い温度（最高１００℃まで）で動作される場合があるＤＰＭ２００の一実施形態では、ＤＰＭ２００は、ヒータも含むことができる。
【００１２】
システム１００の一実施形態では、ＧＵＩ１２０は、ユーザによって選択可能な複数のオブジェクトと、複数のブラウザウィンドウとを備えることができる。各ブラウザウィンドウは、オブジェクトのうちの１つに関連付けることができる。これらの複数のユーザ選択可能なオブジェクトは、たとえば、複数のタブとすることができる。以下でさらに詳細に説明するように、これらの複数のタブは、次のもの、すなわち、デバイス（device）タブ、プロット（plot）タブ、診断（diagnostics）タブ、構成（configuration）タブ、サービス（service）タブ、ファクトリー（factory）タブ、サインアウト（sign out）タブ、及びヘルプ（help）タブを含むことができるが、これらに限定されるものではない。
【００１３】
複数のブラウザウィンドウのそれぞれ１つは、そのブラウザウィンドウに関連付けられているタブのユーザによる選択時にオープンすることができる。各ブラウザウィンドウは、オープンされると、ＤＰＭ２００のＷｅｂＰａｇｅの対応するサブページを表示することができる。先に説明したように、本特許における「ＷｅｂＰａｇｅ」という用語は、特定のＤＰＭ２００（又は他のタイプのセンサ）に対するベースとなる統一資源位置指定子（ＵＲＬ）を指す。本特許における「ウェブページ（ｗｅｂｐａｇｅ）」という用語は、ＷｅｂＰａｇｅ内のサブページを指す。各サブページは、ＤＰＭ２００に関する異なるタイプの情報を含むことができる。
【００１４】
システム１００の一実施形態では、ユーザが、ＤＰＭ  ＷｅｂＰａｇｅに接続されると、ＧＵＩ１２０は、ユーザモード、サービスモード、及びファクトリーモードの３つのユーザ用の表示モードを提供することができる。
【００１５】
ＧＵＩ１２０の一実施形態では、ユーザモードは、ＤＰＭ２００のデフォルトモードとすることができる。特別なコードもパスワードも入力せずにイーサネット接続を介してＤＰＭ２００に接続する者は誰でも、ユーザモードで表示されるコンピュータスクリーン又は他のインターフェースを見ることができる。ＧＵＩ１２０の一実施形態では、ユーザモードにおいて、コンピュータスクリーン又は他のインターフェースの左上側には４つのタブを示すことができ、右側には１つのタブを示すことができる。具体的には、左に示される４つのタブは、デバイスタブ、プロットタブ、診断タブ、及び構成タブとすることができ、右に示される１つのタブは、ヘルプタブとすることができる。これらの５つのタブのＧＵＩ機能については、以下でさらに説明する。
【００１６】
サービスモードは、認可を受けたサービス職員を対象とすることができ、それらのサービス職員が、ＤＰＭ２００及び接続されている処理システムの双方のトラブルシューティング及び診断のためにＤＰＭ２００内のパラメータ及び他の情報にアクセスすることを許可することができる。サービスモードで利用可能な機能にアクセスするには、特別なコード又はパスワードを必要とすることができる。すなわち、サービスモードは、正しいアクセスパスワードを提供するユーザにのみアクセス可能であり、且つ、そのユーザによってのみ選択可能であるアクセス制限モードとすることができる。ＧＵＩの一実施形態では、サービスモードにおいて、コンピュータスクリーン又は他のインターフェースの左上側には５つのタブを示すことができ、右には２つのタブを示すことができる。左に示される５つのタブは、デバイスタブ、プロットタブ、診断タブ、構成タブ、及びサービスタブとすることができる一方、右に示される２つのタブは、サインアウトタブ及びヘルプタブとすることができる。これらの７つのタブのＧＵＩ機能については、以下でさらに説明する。ＤＰＭ２００がサービスモードにあることの表示は、ウェブページのフッタに設けることができる。
【００１７】
ファクトリーモードは、認可を受けた工場職員を対象とすることができ、工場職員が、ＤＰＭ２００のトラブルシューティング、診断、及び較正のためにＤＰＭ２００内のパラメータ及び他の情報にアクセスすることを許可することができる。ファクトリーモードで利用可能な機能にアクセスするには、特別なコード又はパスワードを必要とすることができる。すなわち、ファクトリーモードは、正しいアクセスパスワードを提供するユーザにのみアクセス可能であり、且つ、そのユーザによってのみ選択可能であるアクセス制限モードとすることができる。ＧＵＩ１２０の一実施形態では、ファクトリーモードにおいて、コンピュータスクリーン又は他のインターフェースの左上側には６つのタブを示すことができ、右には２つのタブを示すことができる。左に示される６つのタブは、デバイスタブ、プロットタブ、診断タブ、構成タブ、サービスタブ、及びファクトリータブとすることができる一方、右に示される２つのタブは、サインアウトタブ及びヘルプタブとすることができる。これらの８つのタブのＧＵＩ機能については、以下でさらに説明する。ＤＰＭ２００がファクトリーモードにあることの表示は、ウェブページのフッタに設けることができる。
【００１８】
ＧＵＩ１２０は、さらに、複数のボタンを含むことができる。たとえば、「Device Events Page（デバイスイベントページ）」ボタン及び「Press to Refresh（更新するために押下せよ）」ボタンは、以下でさらに説明するが、すべてのウェブページ及びすべての表示モードに見られる共通の要素とすることができる。ユーザ構成及び全体的なシステム状態に応じて、これらの要素は、表示される場合もあるし表示されない場合もある。
【００１９】
ＧＵＩ１２０のほとんどのサブページは、他のウェブページに共通の他の要素を有することができる。これらの共通の要素は、製造業者のロゴ、ウェブページの上部にわたる複数のタブ、並びにウェブページの下部にわたるＤＰＭ２００のモデル番号及びシリアル番号を含むことができるが、これらに限定されるものではない。
【００２０】
図２Ａは、ＧＵＩの一実施形態におけるＤＰＭユーザモードのe-Baratron Status（e-Baratronステータス）ウェブページを示している。この実施形態では、図示したe-Baratron Statusウェブページは、ユーザモードのデフォルトウェブページとすることができる。特別なコードもパスワードも入力することなくイーサネット接続を介してＤＰＭ  ＷｅｂＰａｇｅ２０５に接続する誰もが、図２Ａに示すスクリーンを見ることができる。このスクリーンでは、デバイスタブが、選択されたものとして示されている。図２Ａに示すユーザモードのe-Baratron Statusウェブページでは、リアルタイム圧力がオンにされている場合があり、１つの警告イベント及び１つのアラームイベントが示される場合がある。
【００２１】
以下の図２Ｂ及び図２Ｃとの関連で分かるように、ＧＵＩの一実施形態では、e-Baratron Statusウェブページは、ユーザモードだけでなく、サービスモード及びファクトリーモードにおいてもデフォルトウェブページとすることができる。この実施形態では、ＤＰＭの表示モードにかかわらず、「Refresh（更新）」ボタン又は「Ｇｏ（実行）」ボタンがInternet Explorerにおいて押下されるたびに、e-Baratron Statusウェブページを表示することができる。
【００２２】
図２Ｂは、ＧＵＩの一実施形態におけるＤＰＭサービスモードのe-Baratron Statusウェブページを示している。この実施形態では、図示したe-Baratron Statusウェブページは、サービスモードのデフォルトウェブページとすることができる。イーサネット接続を介してＤＰＭ  ＷｅｂＰａｇｅに接続した後、サービスモード用のアクセスコード又はパスワードを正しく入力すると、ユーザは、図２Ｂに示すスクリーンを見ることができる。図２Ｂに示すサービスモードのe-Baratron Statusウェブページでは、リアルタイム圧力がオンにされており、警告イベントもアラームイベントも表示されない。
【００２３】
図２Ｃは、ＧＵＩの一実施形態におけるＤＰＭファクトリーモードのe-Baratron Statusウェブページを示している。この実施形態では、図示したe-Baratron Statusウェブページは、ファクトリーモードのデフォルトウェブページとすることができる。イーサネット接続を介してＤＰＭ  ＷｅｂＰａｇｅに接続した後、ファクトリーモード用のアクセスコード又はパスワードを正しく入力すると、ユーザは、図２Ｃに示すスクリーンを見ることができる。図２Ｃに示すファクトリーモードのe-Baratron Statusウェブページでは、リアルタイム圧力がオンにされており、警告イベントもアラームイベントも示されない。
【００２４】
図２Ａ、図２Ｂ、及び図２Ｃに見られるように、e-Baratron Statusウェブページは、ＤＰＭの出力信号（たとえば、圧力又は真空度の測定値を示す）と、カラーバーを介したＤＰＭの動作ステータスと、ユーザが選ぶことができる圧力測定の単位のうちの選択したものとを同時に表示することができる。圧力測定の単位には、Ｔｏｒｒ、ｍｍＨｇ、ｍＢａｒ、及びｐｓｉが含まれるが、これらに限定されるものではない。
【００２５】
図２Ｄは、ＧＵＩ１２０の一実施形態におけるＤＰＭサービスモードのe-Baratron Event（e-Baratronイベント）ウェブページを示している。この実施形態では、このウェブページは、ユーザがリセット又はクリアすることができる、ＤＰＭの内部処理システムによって記録されたイベントのリストを示すことができる。このリストは、次のイベント、すなわち、ＤＰＭがそのフルスケールレンジよりも高い圧力にさらされた回数、ユーザ選択可能な圧力限界を超えたかどうか（図に示される）、通信障害、及び１つ又は２つ以上のセンサ障害モードを含むことができるが、これらに限定されるものではない。「Clear Events（イベントクリア）」ボタンは、これらのメッセージをスクリーンから除去するのに使用することができる。ＧＵＩ１２０の一実施形態では、このページには、e-Baratron Statusウェブページの下部の「Events（イベント）」リンクを介してアクセスすることができる。「Press to Refresh」ボタンは、リアルタイム更新がオフにされていた場合に、更新を行うのに使用することができる。
【００２６】
図２Ｄに示すウェブページ上の各イベントと共に示されるタイムスタンプは、ＧＵＩ１２０の一実施形態における「e-Baratron Time（e-Baratron時刻）」の下に示される現在のデバイス時刻に対応することができる。ＤＰＭ２００は、リアルタイムクロックを有しない場合があるが、ＤＰＭが稼動していた期間の経過時間を追跡することができる。
【００２７】
e-Baratron Statusウェブページ、Plot（プロット）ウェブページ（後述）、及びHelp（ヘルプ）ウェブページ（後述）を除くすべてのウェブページ上に表示できる共通の要素は、リアルタイム圧力表示とすることができる。この表示は、ホワイトパネルの内部に行うことができる。このホワイトパネルは、図２Ｄでは、e-Baratron Eventウェブページの左側に位置するものとして示されている。一実施形態では、ＧＵＩ１２０は、システム圧力／真空度、任意のゼロオフセット、及びデバイスステータスをこのホワイトパネル上に連続的に表示することができる。
【００２８】
ホワイトパネル上に示される別の共通の要素は、ＤＰＭユニットが最初に電源投入された時に表示することができる「Standby（スタンバイ）」メッセージ及びカウントダウンタイマとすることができる。ＤＰＭモデルによって決まるカウントダウン時間の後、このメッセージ及びタイマは、もはや表示されない場合があり、メッセージ「Sensor Has Reached Control Temperature（センサが制御温度に到達しました）」を表示することができる。これは、ユーザが、ＤＰＭ２００の標準動作温度に達する時間をＤＰＭ２００に与えることを助けることができる。
【００２９】
図２Ｅは、ＧＵＩの一実施形態におけるＤＰＭファクトリーモードのe-Baratron Information（e-Baratron情報）ウェブページを示している。e-Baratron Informationウェブページは、ユーザがデバイスタブを選択したときに３つのすべての表示モードからアクセス可能であり、シリアル番号、モデル番号、ソフトウェア改訂番号等、ＤＰＭ２００のユーザが閲覧可能なユニット固有属性を示すことができる。このような属性は、通信プロセッサ２２０のバージョン番号及びＤＰＭ２００の標準的な電子回路部の一部とすることができる信号プロセッサのバージョン番号を含むことができる。ユーザモード及びサービスモードでは、バージョン番号は、主要な改訂番号及び主要でない改訂番号に限られる場合がある。ファクトリーモードでは、ソフトウェアビルド番号を示す２つの追加フィールドを利用可能とすることができる。e-Baratron Informationウェブページには、e-Baratron Statusページの下部の「Information（情報）」リンクを介してアクセスすることができる。
【００３０】
図２Ｅに見られるように、e-Baratron Informationウェブページの左側には、圧力／真空度出力の動的に更新される表示、ユニットのステータス（稼動中／緑、警告／黄色、又は障害／赤）を示すことができ、最も近時のトラブルシューティングメッセージも示すことができる。サイドバーには、上述した「Standby」メッセージ及びカウントダウンタイマも示すことができる。
【００３１】
図３は、ＧＵＩの一実施形態におけるＤＰＭユーザモードのPlotウェブページを示している。このPlotウェブページには、ユーザがPlotタブを選択した時にアクセスすることができる。ユーザによるPlotタブの選択時に、別個のブラウザウィンドウがオープンして、図３に示すPlotウェブページを表示することができる。Plotタブが選択された時、他のどのようなタブがその後選択されるかにかかわらず、最初のPlotウェブページがクローズされない限り、このPlotウェブページを最前面／最上部に持ってくることができる。
【００３２】
Plotウェブページは、ＤＰＭのデジタル出力信号及びアナログ出力信号のリアルタイムグラフィカル表示を時間の関数として示すことができる。この表示は、より短い走査区間及びより長い走査区間を示すように変更することができる。Plotウェブページによって、ユーザが圧力データをＰＣクロックに関してグラフィックに観察できるようにするだけでなく、圧力データをファイルにログ記録できるようにもすることができる。このファイルは、各データポイントについて時刻／日付スタンプを有する。e-Baratron Statusウェブページからユーザによって選択された圧力単位は、このPlotウェブページに自動的に表示することができる。これによって、ユーザが所望の圧力単位にスケーリングされたデータを見ることができる。
【００３３】
Plotウェブページは、ユーザに他の機能を提供することもできる。これらの他の機能には、ズームイン、サンプルレートの調整、グラフの色の選択、異なるスケールの選択、及びマウスカーソルと共に軸線を表示させることが含まれるが、これらに限定されるものではない。これらの軸線は、マウスカーソルの位置における圧力及び時刻をプロット上に示す十字線とすることができる。
【００３４】
図４は、ＧＵＩの一実施形態におけるＤＰＭユーザモードのDiagnostics（診断）ウェブページを示している。Diagnosticsウェブページには、ユーザがDiagnosticsタブを選択した時にアクセスすることができる。Diagnosticsウェブページは、ＤＰＭの機能に関する特定の情報を示すことができる。たとえば、ユーザは、関連付けられているユーザ選択の単位及びタイムスタンプと共に、ＤＰＭ２００の複数のパラメータを見ることができる。これらの複数のパラメータには、デバイス時間、累積ゼロドリフト（cumulative zero drift）、ＤＰＭ２００がそのフルスケールレンジを上回る圧力にさらされた回数、並びに圧力の最大値及び最小値が含まれるが、これらに限定されるものではない。
【００３５】
Diagnosticsウェブページ上では、「Reset Min/Max（最小／最大リセット）」ボタン及び「Press to Refresh Diagnostics Display（診断表示を更新するために押下せよ）」ボタンの２つのボタンをユーザに利用可能にすることができる。「Reset Min/Max」ボタンは、ユーザによって選択されると、記憶された圧力の最小値及び最大値並びに関連付けられているタイムスタンプをクリアすることができる。「Press to Refresh Diagnostics Display」ボタンは、ユーザによって選択されると、Diagnostics情報を含むウェブページを更新することができ、ユーザは、Minimum（最小）値及びMaximum（最大）値の変化をチェックすることが可能になる。
【００３６】
図５Ａは、ＧＵＩの一実施形態におけるＤＰＭユーザモードのConfiguration（構成）ウェブページを示している。このConfigurationウェブページは、Configuration Tab（構成タブ）を選択することによってユーザによりアクセスされる。Configurationウェブページは、ユーザが構成可能なパラメータへのアクセスを与えることができる。これらのパラメータには、次のもの、すなわち、ネットワーク設定、ゼロ調整、警告及びアラームの制限設定、並びに表示セットアップが含まれ得るが、これらに限定されるものではない。
【００３７】
先に説明したように、リアルタイム圧力表示及び「Standby」メッセージは、e-Baratron Statusウェブページ、Plotウェブページ、及びHelpウェブページを除くすべてのウェブページで共通の要素とすることができる。
【００３８】
図５Ｂは、ＧＵＩの一実施形態におけるＤＰＭユーザモードのConfiguration Network Settings（構成ネットワーク設定）ウェブページを示している。このConfiguration Network Settingsウェブページには、上述したConfigurationウェブページ上の「Network Settings（ネットワーク設定）」リンクを介してアクセスすることができる。このウェブページによって、ユーザがＤＰＭのネットワークパラメータにアクセスすることができ、これによって、次に、ＤＰＭ２００がユーザのネットワーク又は他の計器システムと通信することができる。たとえば、このウェブページによって、ユーザがデバイスのＩＰ（インターネットプロトコル）アドレスを変更し、さらには他の通信パラメータも変更することができ、それによって、デバイスがユーザのネットワーク又は計器システムと通信することができる。変更することが可能なネットワークパラメータには、次のもの、すなわち、ＤＰＭ  ＷｅｂＰａｇｅのＩＰアドレス、デフォルトゲートウェイ、サブネットマスク、及びＤＮＳサーバが含まれ得るが、これらに限定されるものではない。これらのパラメータをユーザ定義の値に変更するために、Configuration Network Settingsウェブページに「Set（設定）」ボタンをユーザ用に設けることができる。換言すれば、このウェブページ上の「Set」ボタンを押下することによって、ユーザにより変更されたNetworkパラメータの記憶及び適用をトリガすることができる。
【００３９】
図５Ｃは、ＧＵＩの一実施形態のおけるＤＰＭユーザモードのConfiguration Limit Settings（構成制限設定）ウェブページを示している。このConfiguration Limit Settingsウェブページには、Configurationウェブページ上に設けられた「Limit Settings（制限設定）」リンクを介してアクセスすることができる。Configuration Limit Settingsウェブページは、設定するための２つの独立したソフトウェアベースのアラーム制限（上限及び下限）並びに２つの独立したソフトウェアベースの警告制限（上限及び下限）をユーザに提供することができる。ユーザは、ＤＰＭのフルスケール圧力レンジの百分率の単位で各制限を設定することができる。制限を超えると、イベントを、そのイベント用のリアルタイム圧力表示に示すことができる。たとえば、アラームイベントは赤色で示すことができ、警告イベントは黄色で示すことができる。
【００４０】
ＤＰＭ等のキャパシタンスマノメータは、精密電気機械デバイスである。最も厳密に公差指定された（most tightly toleranced）デバイスと同様に、温度及び他の環境因子が、性能に影響を与えるおそれがある。キャパシタンスマノメータの場合、ゼロ圧力における電気出力は、配送及び取り扱いによる変化を受ける場合がある。この理由により、キャパシタンスマノメータは、インストール時にゼロイングを必要とする場合があり、０を定期的に監視しなければならない場合がある。
【００４１】
図５Ｄは、ＧＵＩの一実施形態におけるＤＰＭユーザモードのConfiguration Zero Adjustment（構成ゼロ調整）ウェブページを示している。このウェブページは、ＧＵＩを通じたＤＰＭのゼロイングを可能にし、且つ、オプションとして、ＤＰＭがゼロイングされる時の圧力読み取りにおけるユーザ定義のOffset（オフセット）の導入を許可することを目的としている。このページには、Configurationウェブページ上の「Zero Adjustment（ゼロ調整）」リンクを介してアクセスすることができる。
【００４２】
Configuration Zero Adjustmentウェブページでは、３つの異なるメッセージの１つを示すことができる。センサがまだその動作温度に到達していない場合には、メッセージ「CAUTION Sensor has not reached control temperature. The e-Baratron cannot be zeroed.（注意  センサは制御温度に達していません。e-Baratronをゼロイングすることはできません。）」を表示することができる。このメッセージが表示される場合には、ＤＰＭをゼロイングすることはできず、「Zero（ゼロ）」ボタンを無効にすることができる。圧力又は真空度がＤＰＭの分解能を下回っている場合、又は、圧力又は真空度が、ＤＰＭの分解能を上回っているが、フルスケールレンジの２０％未満である場合には、メッセージ「ACCEPTABLE PRESSURE System pressure is suitable for zeroing the e-Baratron capacitance manometer（許容範囲圧力  システム圧力は、e-Baratronキャパシタンスマノメータをゼロイングするのに適しています。）」を表示することができる。次に、「Zero」ボタンを有効にすることができ、ユーザはＤＰＭをゼロイングすることができる。
【００４３】
圧力又は真空度がフルスケールレンジの２０％を上回っている場合、ＧＵＩは、次のメッセージ、すなわち、「CAUTION System pressure is higher than 20% FS.  The e-Baratron cannot be zeroed.（注意  システム圧力はＦＳの２０％よりも高くなっています。e-Baratronをゼロイングすることはできません。）」を表示することができる。このメッセージが表示される場合、ＤＰＭ２００をゼロイングすることはできず、「Zero」ボタンを無効にすることができる。
【００４４】
ユーザがOffset Type（オフセットタイプ）選択を「No Offset（オフセット無し）」に設定した場合には、ＤＰＭは、「Zero」ボタン（ＷｅｂＰａｇｅ上のもの又はＤＰＭ上の物理ボタンのいずれか）が押下された時に、現在測定している圧力／真空度を純粋な真空として使用することができ、そのアナログ出力及びデジタル出力を０に調整することができる。ユーザが、Offset Typeを「Zero」に設定し、且つ、Zero Offsetの選択をＦＳ（フルスケール）の−５％から＋５％までの非ゼロの値に数値で設定した場合には、ＤＰＭは、「Zero」ボタン（ＷｅｂＰａｇｅ上のもの又はＤＰＭ上の物理ボタンのいずれか）が押下された時に、現在測定している圧力／真空度を純粋な真空として使用することができる。ＤＰＭは、次に、そのアナログ出力及びデジタル出力をZero Offset値に調整することができる。
【００４５】
ユーザがOffset Typeを「Target」に設定し、且つ、Target Offset（ターゲットオフセット）の選択をＦＳの−５％から５％までの値に数値で設定した場合には、ＤＰＭは、「Zero」ボタン（ＷｅｂＰａｇｅ上のもの又はＤＰＭ上の物理ボタンのいずれか）が押下された時に、現在読み出している圧力／真空度を既知の正の圧力として使用することができる。ＤＰＭは、次に、そのアナログ出力及びデジタル出力をTarget Offset値に調整することができる。
【００４６】
図５Ｅは、ＧＵＩの一実施形態におけるＤＰＭユーザモードのConfiguration Display Setup（構成表示セットアップ）ウェブページを示している。このConfiguration Display Setupウェブページには、Configuration ウェブページ上の「Display Setup（表示セットアップ）」リンクを介してアクセスすることができる。このウェブページによって、ユーザがリアルタイム圧力表示更新レートを変更することができる。このリアルタイム圧力表示更新レートは、ウェブページデータがＤＰＭからの新しい情報により更新される頻度に影響を与えることができる。このレートは、ミリ秒の時間で示すことができ、最小で２００ミリ秒、最大で６００００ミリ秒（１分）を有することができ、更新レートを０ミリ秒に設定することによって完全にオフにすることができる。
【００４７】
図６Ａは、ＧＵＩの一実施形態におけるＤＰＭサービスモードのService（サービス）ウェブページを示している。このServiceウェブページには、ユーザがService Tab（サービスタブ）を選択することによってアクセスすることができる、Serviceウェブページは、Service Diagnostics（サービス診断）、Service History（サービス履歴）、Heater Diagnostics（ヒータ診断）（読み出し専用）、Calibration Parameters（較正パラメータ）（読み出し専用）等のパラメータへのアクセスをサービス職員に提供することができる。
【００４８】
図６Ｂは、ＧＵＩの一実施形態におけるＤＰＭサービスモードのService Diagnosticsウェブページを示している。このウェブページ上において、ユーザは、ＤＰＭのいくつかのパラメータを見ることができる。これらのパラメータは、デバイス時間（２．２節参照）、ＤＰＭが最後にゼロイングされてからの経過時間、Zero Drift（ゼロドリフト）の２つの値（最後のサービス以降のドリフト及び全ライフタイムのドリフト）、ＤＰＭがゼロイングされた回数を表す２つの値（最後のサービス以降にゼロイングされた回数及び全ライフタイムでゼロイングされた回数）、ＤＰＭがそのフルスケールレンジを超えた回数を表す２つの値（最後のサービス以降にフルスケールレンジを超えた回数及び全ライフタイムでフルスケールレンジを超えた回数）、ダイヤフラムがショートした回数等である。
【００４９】
「Reset（リセット）」ボタンによって、ＤＰＭがサービスモードにあった最後の時以降に累積された値をサービス職員がリセットすることができる。このページは、「Event Notification（イベント通知）」フィールドも有することができる。この「Event Notification」フィールドは、ＤＰＭに発生したEvents（イベント）を、それらに関連付けられているタイムスタンプと共に包括的に記憶する「First-In, First Out（先入れ先出し）」ストレージとして動作する。「Clear Event Page（イベントページクリア）」ボタンは、このフィールドに記憶されたすべてのメッセージをクリアすることができる。
【００５０】
「Reset to Factory Defaults（ファクトリーデフォルトへのリセット）」ボタンは、ＤＰＭのゼロイングの期間中に変更された可能性のある較正パラメータをリセットすることができる。Service Diagnosticsウェブページには、Serviceウェブページ上の「Diagnostics」リンクを選択することによってアクセスすることができる。
【００５１】
図６Ｃは、ＧＵＩの一実施形態におけるＤＰＭサービスモードのService Historyウェブページを示している。このService Historyウェブページには、Serviceウェブページ上の「Service History」リンクを選択することによってアクセスすることができる。このウェブページによって、ＤＰＭに関する注意書き並びにサービス行為の時刻及び日付、さらには行われた行為をサービス職員が格納することができる。
【００５２】
図６Ｄは、ＧＵＩの一実施形態におけるＤＰＭサービスモードのService Heater Diagnosticsウェブページを示している。このService Heater Diagnosticsウェブページには、Serviceウェブページ上の「Heater Diagnostics」リンクを選択することによってアクセスすることができる。このウェブページによって、サービス職員がＤＰＭのヒータの制御設定及び診断情報を閲覧することができる。これらの制御設定及び診断情報は、「Heater Constants（ヒータ定数）」、ヒータ制御ループ内のさまざまな電圧及び電流、ヒータ温度等である。サービス職員は、ウェブページの下部の「Print（印刷）」ボタンを介して、このデータのハードコピーを取得することもできる。
【００５３】
図６Ｅは、ＧＵＩの一実施形態におけるＤＰＭサービスモードのService Calibration Parametersウェブページを示している。このウェブページによって、サービス職員がＤＰＭの較正パラメータを閲覧することができる。「Other Parameters（他のパラメータ）」フィールドは、ＤＰＭがServiceモードにあった回数及びFactoryモードにあった回数の双方の回数のリセット不能カウントを含むことができる。「Reset to Factory Defaults」ボタンは、Service Diagnosticsウェブページに関連して上述したものと同じ機能を有する。サービス職員は、ウェブページの下部の「Print」ボタンを介して、このデータのハードコピーを得ることもできる。このService Calibration Parametersウェブページには、Serviceウェブページ上の「Calibration Parameters（較正パラメータ）」リンクを選択することによってアクセスすることができる。
【００５４】
図７Ａは、ＧＵＩの一実施形態におけるＤＰＭファクトリーモードのFactory（ファクトリー）ウェブページを示している。このFactoryウェブページには、Factory Tab（ファクトリータブ）を選択することによってアクセスすることができる。Factoryウェブページは、Calibration Data（較正データ）（読み出し及び書き込み）、Heater Diagnostics（読み出し及び書き込み）等のパラメータへのアクセス、ファームウェア又は較正データをＤＰＭにアップロードする能力、及びＤＰＭから較正データをダウンロードする能力を工場職員に与えることができる。
【００５５】
図７Ｂは、ＧＵＩの一実施形態におけるＤＰＭファクトリーモードのFactory Calibration Data（ファクトリー較正データ）ウェブページを示している。このウェブページによって、工場職員がＤＰＭの較正パラメータの閲覧及び設定を行うことができる。各フィールドの下部の「Set」ボタンによって、ＤＰＭは、当該フィールドのパラメータを使用するようにすることができる。「Pressure Parameters（圧力パラメータ）」フィールドの下部の「Zero」ボタンは、５．３節で記載した「Zero」ボタンと同じ機能を有することができるが、それに限られるものではない。「DAC is ON（ＤＡＣがＯＮである）」ボタンによって、工場職員が、アナログ出力に使用されるＤＡＣをオン及びオフにトグルすることができる。「Other Parameters」フィールドの下部の「Factory Set（ファクトリー設定）」ボタンは、ゼロイングの期間中に変化し得る較正データをメモリ内の個々のロケーションに記憶することができる。「Reset to Factory Defaults」ボタンは、上述したものと同じ機能を有することができる。「Other Parameters」フィールドは、上述したように、ＤＰＭがともにServiceモード及びFactoryモードにあった回数の中での同じリセット不能カウントも含むことができる。工場職員は、ウェブページの下部の「Print」ボタンを介して、このデータのハードコピーを得ることもできる。Calibration Parametersウェブページには、Factoryウェブページ上の「Calibration Parameters」リンクを選択することによってアクセスすることができる。
【００５６】
図７Ｃは、ＧＵＩの一実施形態におけるＤＰＭファクトリーモードのFactory Heater Diagnostics（ファクトリーヒータ診断）ウェブページを示している。このウェブページによって、工場職員が「Heater Constants」フィールドのＤＰＭのヒータの制御設定の観察及び設定を行うことができる。また、このウェブページによって、工場職員がヒータ制御ループ内のさまざまな電圧及び電流並びにヒータ温度を観察することもできる。制御設定に変更が行われた後、「Set」ボタンによって、ＤＰＭ２００は、それらの設定を使用するようにすることができる。工場職員は、ページの下部の「Print」ボタンを介して、このデータのハードコピーを得ることもできる。このHeater Diagnosticsウェブページには、Factoryウェブページ上の「Heater Diagnostics」リンクを選択することによってアクセスすることができる。
【００５７】
図７Ｄは、ＧＵＩの一実施形態におけるＤＰＭファクトリーモードのUploader-Downloader（アップローダ・ダウンローダ）ウェブページを示している。この「Uploader-Downloader」ウェブページには、Factoryウェブページ上の「Uploader-Downloader」リンクを選択することによってアクセスすることができる。このリンクが選択されると、新しいブラウザウィンドウがオープンされる場合がある。このウェブページによって、工場職員はＤＰＭ２００の信号プロセッサ及び通信プロセッサの双方のファームウェアの更新、ＤＰＭ２００の補正テーブルの読み出し及び書き込み、並びにＤＰＭ２００のすべてのパラメータ（ユーザ構成及び較正パラメータ）の読み出し及び書き込みを行うことができる。「Writing（書き込み）」は、接続されているＰＣ（又は他のコンピュータ３００）上のファイルからデータを取り出して、ＤＰＭ２００へ送信するプロセスを指すことができる。「Reading（読み出し）」は、ＤＰＭ２００からデータを取り出し、接続されているＰＣ（又は他のコンピュータ３００）上のファイルに記憶するプロセスを指すことができる。ボタン内に「…」が示された４つのグレーボタンは、書き込み又は読み出しを行うファイルを選択するのに使用することができる。ファイル名及びディレクトリロケーションは、ボタンの左のフィールドに表示することができる。４つのボックスの右のチェックボックスは、データがＤＰＭ２００から読み出されるのか、それともＤＰＭ２００に書き込まれるのかを選択するのに使用することができる。下部の「GO」ボタンは、コンピュータ３００とＤＰＭ２００との間でデータの転送を開始するのに使用することができる。信号プロセッサのファームウェア及び通信プロセッサファームウェアの現在のバージョンは、「GO」ボタンの下に表示することができる。
【００５８】
ＧＵＩ１２０の上述した実施形態では、サインアウトタブに関連付けられているウェブページがない場合がある。サインアウトタブを選択することによって、サービスモード又はファクトリーモードのいずれかからユーザモードへユーザを単に移動させることができる。サインアウトタブは、押下された後に、表示されなくなる。ヘルプタブについては、ユーザによるヘルプタブの選択時に、図７Ｅに示す新しいブラウザウィンドウをオープンすることができる。
【００５９】
要約すれば、センサを監視するシステムが説明されてきた。このシステムは、ＧＵＩを含む。このＧＵＩは、コンピュータが標準的なインターネットウェブブラウザを使用してセンサにイーサネットリンクを介し接続可能である限り、ユーザが任意のコンピュータからセンサに関する情報にアクセスすることを可能にし、且つ、ユーザがリアルタイムでセンサを監視することを可能にする。
【００６０】
ＧＵＩの一定の実施形態を説明してきたが、これらの実施形態に潜在的に含まれている概念は、他の実施形態でも同様に使用できることが理解されるべきである。この出願の保護範囲は、添付の特許請求の範囲にのみ限定されるものである。
【００６１】
本特許請求の範囲において、単数形での要素への言及は、特に「１つのみ」と言明されていない限り、「１つのみ」を意味するように意図されておらず、「１つ又は２つ以上」を意味するように意図されている。この開示全体と通じて説明したさまざまな実施形態の要素に対するすべての構造的な均等物及び機能的な均等物であって、当業者に知られているもの又は後に知られるようになるものは、参照によって本明細書に明確に援用され、特許請求の範囲によって包含されるように意図されている。その上、本明細書に開示されたものは、このような開示が特許請求の範囲に明示的に列挙されているかどうかにかかわらず、一般公衆に開放されるように意図されていない。請求項の要素は、その要素が、「〜のための手段」というフレーズを使用して明確に列挙されていない限り、又は、方法の請求項の場合には、その要素が「〜のためのステップ」というフレーズを使用して列挙されていない限り、米国特許法第１１２条の第６パラグラフの規定の下で解釈されるべきではない。
【図面の簡単な説明】
【００６２】
【図１】コンピュータからセンサへのイーサネット接続を使用してアクセス可能なＧＵＩ（グラフィカルユーザインターフェース）を含む、センサを監視するシステムの一実施形態の概略ブロック図である。
【図２Ａ】ＧＵＩの一実施形態におけるＤＰＭユーザモードのe-Baratron Statusウェブページを示す図である。
【図２Ｂ】ＧＵＩの一実施形態におけるＤＰＭサービスモードのe-Baratron Statusウェブページを示す図である。
【図２Ｃ】ＧＵＩの一実施形態におけるＤＰＭファクトリーモードのe-Baratron Statusウェブページを示す図である。
【図２Ｄ】ＧＵＩの一実施形態におけるＤＰＭサービスモードのe-Baratron Eventウェブページを示す図である。
【図２Ｅ】ＧＵＩの一実施形態におけるＤＰＭファクトリーモードのe-Baratron Informationウェブページを示す図である。
【図３】ＧＵＩの一実施形態におけるＤＰＭユーザモードのPlotウェブページを示す図である。
【図４】ＧＵＩの一実施形態におけるＤＰＭユーザモードのDiagnosticsウェブページを示す図である。
【図５Ａ】ＧＵＩの一実施形態におけるＤＰＭユーザモードのConfigurationウェブページを示す図である。
【図５Ｂ】ＧＵＩの一実施形態におけるＤＰＭユーザモードのConfiguration Network Settingsウェブページを示す図である。
【図５Ｃ】ＧＵＩの一実施形態のおけるＤＰＭユーザモードのConfiguration Limit Settingsウェブページを示す図である。
【図５Ｄ】ＧＵＩの一実施形態におけるＤＰＭユーザモードのConfiguration Zero Adjustmentウェブページを示す図である。
【図５Ｅ】ＧＵＩの一実施形態におけるＤＰＭユーザモードのConfiguration Display Setupウェブページを示す図である。
【図６Ａ】ＧＵＩの一実施形態におけるＤＰＭサービスモードのServiceウェブページを示す図である。
【図６Ｂ】ＧＵＩの一実施形態におけるＤＰＭサービスモードのService Diagnosticsウェブページを示す図である。
【図６Ｃ】ＧＵＩの一実施形態におけるＤＰＭサービスモードのService Historyウェブページを示す図である。
【図６Ｄ】ＧＵＩの一実施形態におけるＤＰＭサービスモードのService Heater Diagnosticsウェブページを示す図である。
【図６Ｅ】ＧＵＩの一実施形態におけるＤＰＭサービスモードのService Calibration Parametersウェブページを示す図である。
【図７Ａ】ＧＵＩの一実施形態におけるＤＰＭファクトリーモードのFactoryウェブページを示す図である。
【図７Ｂ】ＧＵＩの一実施形態におけるＤＰＭファクトリーモードのFactory Calibration Dataウェブページを示す図である。
【図７Ｃ】ＧＵＩの一実施形態におけるＤＰＭファクトリーモードのFactory Heater Diagnosticsウェブページを示す図である。
【図７Ｄ】ＧＵＩの一実施形態におけるＤＰＭファクトリーモードのFactory Uploader-Downloaderウェブページを示す図である。
【図７Ｅ】ＧＵＩの一実施形態における任意のモードでのユーザによるヘルプタブの選択時にオープンされるインターネットブラウザウィンドウを示す図である。
【図１】
2009518743.tif 000003
【図２Ａ】
2009518743.tif 000004
【図２Ｂ】
2009518743.tif 000005
【図２Ｃ】
2009518743.tif 000006
【図２Ｄ】
2009518743.tif 000007
【図２Ｅ】
2009518743.tif 000008
【図３】
2009518743.tif 000009
【図４】
2009518743.tif 000010
【図５Ａ】
2009518743.tif 000011
【図５Ｂ】
2009518743.tif 000012
【図５Ｃ】
2009518743.tif 000013
【図５Ｄ】
2009518743.tif 000014
【図５Ｅ】
2009518743.tif 000015
【図６Ａ】
2009518743.tif 000016
【図６Ｂ】
2009518743.tif 000017
【図６Ｃ】
2009518743.tif 000018
【図６Ｄ】
2009518743.tif 000019
【図６Ｅ】
2009518743.tif 000020
【図７Ａ】
2009518743.tif 000021
【図７Ｂ】
2009518743.tif 000022
【図７Ｃ】
2009518743.tif 000023
【図７Ｄ】
2009518743.tif 000024
【図７Ｅ】
2009518743.tif 000025
【国際調査報告】
2009518743.tif 000026
2009518743.tif 000027